(57)【要約】【課題】幼苗の茎への装着及び取り外しの操作が容易で、成長に伴って茎径が拡大すると茎を傷つけることなく容易に茎を解放する幼苗の自立支持具を提供する。【解決手段】把持部４，５間を開いて両者間に茎を導入した後、把持部４，５間を閉じるように指先で摘まみ、係合部９，１０を係合させる。取り外し時には、摘まみ部７，８を閉じるように指先で摘まむと、把持部４，５間を開く力が係合部９，１０の係合力に勝って係合を解くことができ、これにより、把持部４，５間を開いて、茎を傷つけることなく、取り外しの操作が行える。苗の成長に伴って茎径が拡大すると、係合部９，１０を係合が外れて茎を解放するので、茎を傷つけることがない。【選択図】図１
2014113073.tif 000002
【特許請求の範囲】
【請求項１】
弾性合成樹脂で一体成形され、幼苗の茎に沿うように養土に植立される棒状の支柱部と、この支柱部の上端に接続し前記幼苗の茎を把持・解放可能な引き止め部とを具備し、
前記引き止め部は、前記幼苗の茎を抱持できるように互いに向き合うように湾曲した第１及び第２の一対の把持部と、これら一対の把持部間を開閉できるように把持部の基端部間を結合する屈曲自在のヒンジ部と、第１及び第２の把持部の基端部にそれぞれ連続して把持部と反対方向へ延出し互いに閉じる方向に押圧されたとき第１、第２の把持部間を開くように作用する第１及び第２の一対の摘まみ部とを具備し、
前記第１及び第２の把持部は、互いに閉じる方向に押圧されたときに互いにスナップ係合する係合部をそれぞれ先端部に具備し、
前記第１及び第２の把持部の係合部は、前記第１及び第２の摘まみ部間が互いに閉じる方向に押圧されたときに、互いの係合が外れるようにその係合力が設定されることを特徴とする幼苗の自立支持具。
【請求項２】
前記第１及び第２の把持部の係合部の一方は把持部の湾曲の内側へ突出する係合突起であり、他方は把持部の湾曲の外側へ突出する係合突起であり、
前記係合突起は、把持部の閉鎖動作時に一方の把持部の先端部を湾曲の内側へ、他方の把持部の先端部を湾曲の外側へ撓ませるように相互に摺動する第１の斜面と、相互の係合時に互いに当接し把持部の開放動作時に一方の把持部の先端部を湾曲の内側へ、他方の把持部の先端部を湾曲の外側へ撓ませるように相互に摺動する第２の斜面とをそれぞれ具備することを特徴とする請求項１に記載の幼苗の自立支持具。
【発明の詳細な説明】
【技術分野】
【０００１】
本発明は、幼苗が転倒したり、折れたりしないように、自立を補助する支持具に関する。
【背景技術】
【０００２】
野菜など植物の幼苗が、灌水の衝撃や接ぎ木用クリップの重みなどにより、転倒したり、折れたりしないように、自立を補助する支持具が知られている(例えば、特許文献１参照)。この自立支持具は、地面に刺し立てる支柱の上端部に苗の茎の収容部を設けたものである。茎の収容部は、支柱の上端部から前向きに設けられる一対の水平腕を有する。水平腕の各前端部から収容部の内部に向かって折返し状に弾性片が一体に設けられる。弾性片は、収容部の前端を弾性的にせばめるように構成される。
【先行技術文献】
【特許文献】
【０００３】
【特許文献１】特開２０００−３２８５１号公報
【発明の概要】
【発明が解決しようとする課題】
【０００４】
上記従来の幼苗の自立支持具においては、茎を一対の水平腕の導入部に向かって押付けることにより、収容部内に押し入れる必要があるため、茎が無理な押し込みにより傷ついたり、細い茎が収容部から抜け出てしまったりする難点がある。また、いったん苗に装着した後には取り外すことが容易でない。
したがって、本発明は、幼苗の茎への装着及び取り外しの操作が容易で、成長に伴って茎径が拡大すると茎を傷つけることなく容易に茎を解放する幼苗の自立支持具を提供することを目的としている。
【課題を解決するための手段】
【０００５】
以下、添付図面の符号を参照して説明するが、本発明はこれに限定されるものではない。
上記課題を解決するための、本発明の幼苗の自立支持具１は、弾性合成樹脂で一体成形され、幼苗の茎に沿うように養土に植立される棒状の支柱部２と、この支柱部２の上端に接続し幼苗Ｐの茎を把持・解放可能な引き止め部３とを具備する。引き止め部３は、幼苗Ｐの茎を抱持できるように互いに向き合うように湾曲した第１及び第２の一対の把持部４，５と、これら一対の把持部４，５間を開閉できるように当該把持部の基端部間を結合する屈曲自在のヒンジ部６と、第１及び第２の把持部４，５の基端部にそれぞれ連続して把持部４，５と反対方向へ延出し互いに閉じる方向に押圧されたとき第１、第２の把持部４，５間を開くように作用する第１及び第２の一対の摘まみ部７，８とを具備する。第１及び第２の把持部４，５は、互いに閉じる方向に押圧されたときに互いにスナップ係合する係合部９，１０をそれぞれ先端部に具備する。係合部９，１０は、第１及び第２の摘まみ部７，８間が互いに閉じる方向に押圧されたときに、互いの係合が外れるようにその係合力が設定される。
係合部９，１０の一方は把持部４の湾曲の内側へ突出する係合突起とし、他方は把持部５の湾曲の外側へ突出する係合突起とし、それぞれ第１及び第２の斜面９ａ，９ｂ，１０ａ，１０ｂを具備するものとすることができる。第１の斜面９ａ，１０ａは、把持部４，５の閉鎖動作時に一方の把持部５の先端部を湾曲の内側へ、他方の把持部４の先端部を湾曲の外側へ撓ませるように相互に摺動する。第２の斜面９ｂ，１０ｂは、相互の係合時に互いに当接し、かつ把持部４，５の開放動作時に一方の把持部５の先端部を湾曲の内側へ、他方の把持部４の先端部を湾曲の外側へ撓ませるように相互に摺動する。
【発明の効果】
【０００６】
本発明の自立支持具１によれば、幼苗Ｐの茎への装着は、必要に応じて摘まみ部７，８を閉じるように指先で摘まむことで、把持部４，５間を開いて両者間に茎を導入した後、把持部４，５間を閉じるように両把持部４，５を指先で摘まみ、係合部９，１０を係合させる操作により容易に行うことができる。取り外し時には、摘まみ部７，８を閉じるように指先で摘まむと、把持部４，５間を開く力が係合部９，１０の係合力に勝って係合を解くことができ、これにより、把持部４，５間を開いて、茎を傷つけることなく、取り外しの操作が行える。苗の成長に伴って茎径が拡大すると、係合部９，１０を係合が外れて茎を解放するので、茎を傷つけることがない。
【図面の簡単な説明】
【０００７】
【図１】本発明に係る自立支持具の使用状態の説明図である。
【図２】図１の自立支持具の正面図である。
【図３】図１の自立支持具の把持部を開いた状態の拡大した平面図である。
【図４】図１の自立支持具の把持部を閉じた状態の拡大した平面図である。
【図５】図１の自立支持具の斜視図である。
【発明を実施するための形態】
【０００８】
図面を参照して本発明の実施の形態を説明する。
図１において、自立支持具１は、ポリプロピレンのような弾性合成樹脂で一体成形され、幼苗Ｐの茎に沿うように養土Ｓに植立される棒状の支柱部２と、支柱部２の上端からほぼ直角に延出する引き止め部３とを具備する。
【０００９】
引き止め部３は、第１及び第２の一対の把持部４，５と、当該把持部４，５の基端部間を結合する屈曲自在のヒンジ部６と、把持部４，５を開閉操作するための第１及び第２の一対の摘まみ部７，８とを具備する。把持部４，５は、両者間に幼苗Ｐの茎を抱持する空間を形成できるように互いに向き合って湾曲している。ヒンジ部６は、一対の把持部４，５間を開閉できるように当該把持部４，５の基端部間を屈曲自在に結合する。第１及び第２の一対の摘まみ部７，８  把持部４，５の基端部にそれぞれ連続して、当該把持部４，５と反対方向へ延出する。摘まみ部７，８は、互いに閉じる方向に押圧されたとき第１、第２の把持部間４，５間を開くように作用する。なお、引き止め部３は、自然状態で、把持部４，５間が開いた図３の状態にある。
【００１０】
把持部４，５は、互いに閉じる方向に押圧されたときに互いにスナップ係合する係合部９，１０をそれぞれ先端部に具備する。係合部９，１０は、第１及び第２の摘まみ部４，５間が互いに閉じる方向に押圧されたとき、互いの係合が外れるようにその係合力が設定される。
【００１１】
一方の係合部９は把持部４の湾曲の内側へ突出する係合突起であり、他方の係合部１０は把持部５の湾曲の外側へ突出する係合突起である。
【００１２】
係合突起９，１０は、それぞれ第１及び第２の斜面９ａ，９ｂ，１０ａ，１０ｂを具備する。第１の斜面９ａ，１０ａは、把持部４，５の閉鎖動作時に、一方の把持部５の先端部を湾曲の内側へ、他方の把持部４の先端部を湾曲の外側へ撓ませるように相互に摺動する。第２の斜面９ｂ，１０ｂは、図４に示すように相互の係合時に互いに当接し、その状態から把持部４，５が開放動作するときに、一方の把持部５の先端部を湾曲の内側へ、他方の把持部４の先端部を湾曲の外側へ撓ませるように相互に摺動する。
【００１３】
使用に当たっては、図１に示すように、幼苗Ｐの傍らの養土Ｓに支柱部２を突き刺して、幼苗Ｐに沿わせる。把持部４，５を幼苗Ｐの茎に向け、両者間に幼苗Ｐの茎を受け入れる。このとき、必要に応じて摘まみ部７，８を摘まんで把持部４，５間をさらに大きく開くことができる。茎を把持部４，５内に受け入れた状態で、把持部４，５を外側から摘まんで相互間を閉じると、斜面９ａ，１０ａの摺動により、把持部４，５の先端部が撓んで係合突起９，１０同士がスナップ係合し、把持部４，５間に茎が抱持される。必要に応じて支持具１を幼苗Ｐから取り外すときは、一対の摘まみ部７，８を外側から摘まんで相互間を閉じるように操作する。こうすると、把持部４，５間を開こうとする力が係合突起９，１０間の係合力に勝り、斜面９ｂ，１０ｂの摺動により、把持部４，５の先端部が撓んで係合突起９，１０の係合が解け、把持部４，５間が開くので、茎を傷つけることなく支持具１を幼苗Ｐから取り外すことができる。
【００１４】
その後、苗が生長して茎径が拡大すると、自力で係合部９，１０間の係合を解き、把持部４，５間を押し開くので、成長の障害とならない。
【符号の説明】
【００１５】
１    自立支持具
２    支柱部
３    引き止め部材
４    第１の把持部
５    第２の把持部
６    ヒンジ部
７    第１の摘まみ部
８    第２の摘まみ部
９    第１の係合部（係合突起）
９ａ  第１の斜面
９ｂ  第２の斜面
１０  第２の係合部（係合突起）
１０ａ  第１の斜面
１０ｂ  第２の斜面
Ｐ    幼苗
Ｓ    養土
【図１】
2014113073.tif 000003
【図２】
2014113073.tif 000004
【図３】
2014113073.tif 000005
【図４】
2014113073.tif 000006
【図５】
2014113073.tif 000007